(57)【特許請求の範囲】
【請求項１】
第１主面と該第１主面の裏面である第２主面とを有する単一の基板と、
前記第１主面上に位置する第１ハウジングと、
前記第２主面上に位置し、且つ、前記第１ハウジングと組み合わせられて前記第１ハウジングと共に前記基板を挟持する第２ハウジングと、
前記第１主面から前記第１ハウジング内に向かって延びるように前記基板に保持された複数の第１コンタクトと、
前記第２主面から前記第２ハウジング内に向かって延びるように前記基板に保持された複数の第２コンタクトと
を備えており、
前記第１コンタクトの接触部と前記第２コンタクトの接触部とは、前記基板の中心に対して点対称となるように配置されており、
前記第１ハウジングと前記第２ハウジングとは、互いに同一構造を有しており、前記基板の中心に対して点対称となるように配置されており、
前記第１ハウジング及び前記第２ハウジングの夫々は、ハウジング固定片、固定片受容部及び移動規制部を備えており、
前記移動規制部には、許容孔が形成されており、
前記第１ハウジングの前記ハウジング固定片が前記第２ハウジングの前記許容孔を通して前記第２ハウジングの前記固定片受容部内に受容されることにより、前記第１ハウジングの前記ハウジング固定片は、前記第２ハウジングの前記移動規制部により移動規制された状態で前記第２ハウジングに対して固定されており、
前記第２ハウジングの前記ハウジング固定片が前記第１ハウジングの前記許容孔を通して前記第１ハウジングの前記固定片受容部内に受容されることにより、前記第２ハウジングの前記ハウジング固定片は、前記第１ハウジングの前記移動規制部により移動規制された状態で前記第１ハウジングに対して固定されている
コネクタ。
【請求項２】
請求項１記載のコネクタであって、
前記ハウジング固定片には凹部又は孔部が形成されており、
前記固定片受容部には凸部が形成されており、
前記第２ハウジングの前記固定片受容部の前記凸部が前記第１ハウジングの前記ハウジング固定片の前記凹部又は孔部に嵌められていると共に、前記第１ハウジングの前記固定片受容部の前記凸部が前記第２ハウジングの前記ハウジング固定片の前記凹部又は孔部に嵌められている
コネクタ。
【請求項３】
請求項１又は請求項２記載のコネクタであって、
前記第１コンタクトは、第１外列コンタクトと、第１内列コンタクトとを備えており、
前記第１外列コンタクト及び前記第１内列コンタクトの夫々は、被固定部を更に備えており、
前記第１外列コンタクトと前記第１内列コンタクトは所定方向において交互に配置されており、
前記第１外列コンタクトの前記接触部と前記第１内列コンタクトの前記接触部とは前記所定方向において一列に配列されている一方、前記第１外列コンタクトの前記被固定部と前記第１内列コンタクトの前記被固定部とは前記基板上に千鳥状に配置されており、
前記第２コンタクトは、第２外列コンタクトと、第２内列コンタクトとを備えており、
前記第２外列コンタクト及び前記第２内列コンタクトの夫々は、被固定部を更に備えており、
前記第２外列コンタクトと前記第２内列コンタクトは前記所定方向において交互に配置されており、
前記第２外列コンタクトの前記接触部と前記第２内列コンタクトの前記接触部とは前記所定方向において一列に配列されている一方、前記第２外列コンタクトの前記被固定部と前記第２内列コンタクトの前記被固定部とは前記基板上に千鳥状に配置されている
コネクタ。
【請求項４】
請求項１乃至請求項３のいずれかに記載のコネクタであって、
前記第１コンタクトを配列保持する第１ロケータと、
前記第２コンタクトを配列保持する第２ロケータと
を更に備える
コネクタ。
【請求項５】
請求項１乃至請求項４のいずれかに記載のコネクタであって、
前記第１ハウジングを覆う第１シェルと、前記第２ハウジングを覆う第２シェルとを更
に備えており、
前記第１シェルと前記第２シェルとは、互いに同一構造を有しており、前記基板の中心
に対して点対称となるように配置されている
コネクタ。
【請求項６】
第１主面と該第１主面の裏面である第２主面とを有する単一の基板と、
前記第１主面上に位置する第１ハウジングと、
前記第２主面上に位置し、且つ、前記第１ハウジングと組み合わせられて前記第１ハウジングと共に前記基板を挟持する第２ハウジングと、
前記第１主面から前記第１ハウジング内に向かって延びるように前記基板に保持された複数の第１コンタクトと、
前記第２主面から前記第２ハウジング内に向かって延びるように前記基板に保持された複数の第２コンタクトと
を備えており、
前記第１コンタクトの接触部と前記第２コンタクトの接触部とは、前記基板の中心に対して点対称となるように配置されており、
前記第１ハウジングと前記第２ハウジングとは、互いに同一構造を有しており、前記基板の中心に対して点対称となるように配置されており、
前記第１ハウジングを覆う第１シェルと、前記第２ハウジングを覆う第２シェルとを更に備えており、
前記第１シェルと前記第２シェルとは、互いに同一構造を有しており、前記基板の中心に対して点対称となるように配置されている
コネクタ。
【請求項７】
請求項５又は請求項６記載のコネクタであって、
前記第１シェル及び前記第２シェルの夫々には、バネ性を有する接触片が設けられており、
前記第１シェルの前記接触片は、前記第２シェルに接触しており、前記第２シェルの前記接触片は前記第１シェルに接触している
コネクタ。
【請求項８】
請求項７記載のコネクタであって、
前記第１ハウジング及び前記第２ハウジングの夫々は、互いに当接するフランジ部を有しており、
前記フランジ部には保持孔が設けられており、
前記第１シェルの前記接触片は、前記第１ハウジング及び前記第２ハウジングの前記保持孔に挿入され保持された状態で、前記保持孔を通じて前記第２シェルに接触しており、
前記第２シェルの前記接触片は、前記第１ハウジング及び前記第２ハウジングの前記保持孔に挿入され保持された状態で、前記保持孔を通じて前記第１シェルに接触している
コネクタ。
【請求項９】
請求項５乃至請求項８のいずれかに記載のコネクタであって、
前記第１ハウジング及び前記第２ハウジングには、係止部が形成されており、
前記第１シェル及び前記第２シェルの夫々には、シェル固定片が設けられており、
前記シェル固定片が前記係止部に対して係止されることにより、前記第１シェル及び前記第２シェルは前記第１ハウジング及び前記第２ハウジングに夫々固定されている
コネクタ。
【請求項１０】
請求項５乃至請求項９のいずれかに記載のコネクタであって、
前記第１シェル及び前記第２シェルの少なくともいずれか一方には、受部と、前記受部に対して前記筺体を押し付ける押付部とが設けられており、
前記押付部が筺体を前記受部に対して押し付けることにより、当該コネクタが前記筺体に取り付けられる
コネクタ。
【発明の詳細な説明】
【技術分野】
【０００１】
本発明は、少なくとも２つのコネクタ同士を電気的に接続するための中継用のコネクタに関する。
【背景技術】
【０００２】
この種のコネクタとしては、例えば、特許文献１乃至特許文献３に開示されたものがある。
【０００３】
このうち、特許文献１及び特許文献２に開示されたコネクタは、コンタクトを固定された基板（プリント回路基板、回路形成体）をハウジング（ジョイントケース）内の板状部（基板支持壁、基壁）上に載置し、その上から押え板（絶縁板、回路形成体押え板）をハウジング内に圧入することにより、基板をハウジング内に固定している。
【０００４】
一方、特許文献３に開示されたコネクタは、絶縁性部材を挟むようにして折りたたまれた基板を２つのハウジングで構成された収容部内に収容することにより、コネクタ内に基板を固定している。
【先行技術文献】
【特許文献】
【０００５】
【特許文献１】特開２００４−３１１２２３号公報
【特許文献２】特開２００４−３２７２１９号公報
【特許文献３】特開２００７−３３５０９６号公報
【発明の概要】
【発明が解決しようとする課題】
【０００６】
特許文献１及び特許文献２に開示されたコネクタの場合、相手方コネクタの抜去時に押え板が意図せずに外れてしまい、基板の固定が解除されてしまう恐れがある。また、特許文献３に開示されたコネクタの場合、２つのハウジングの係合が意図せずに外れてしまう可能性がある。即ち、特許文献１乃至特許文献３に開示されたコネクタの構成では、意図しない分解等が生じてしまう恐れがある。
【０００７】
そこで、本発明は、意図しない分解等の生じにくいコネクタを提供することを目的とする。
【課題を解決するための手段】
【０００８】
本発明によれば、第１のコネクタとして、
第１主面と該第１主面の裏面である第２主面とを有する単一の基板と、
前記第１主面上に位置する第１ハウジングと、
前記第２主面上に位置し、且つ、前記第１ハウジングと組み合わせられて前記第１ハウジングと共に前記基板を挟持する第２ハウジングと、
前記第１主面から前記第１ハウジング内に向かって延びるように前記基板に保持された複数の第１コンタクトと、
前記第２主面から前記第２ハウジング内に向かって延びるように前記基板に保持された複数の第２コンタクトと
を備えており、
前記第１コンタクトの接触部と前記第２コンタクトの接触部とは、前記基板の中心に対して点対称となるように配置されている
コネクタが得られる。
【０００９】
また、本発明によれば、第２のコネクタとして、第１のコネクタであって、
前記第１ハウジングと前記第２ハウジングとは、互いに同一構造を有しており、前記基板の中心に対して点対称となるように配置されている
コネクタが得られる。
【００１０】
また、本発明によれば、第３のコネクタとして、第２のコネクタであって、
前記第１ハウジング及び前記第２ハウジングの夫々は、ハウジング固定片、固定片受容部及び移動規制部を備えており、
前記移動規制部には、許容孔が形成されており、
前記第１ハウジングの前記ハウジング固定片が前記第２ハウジングの前記許容孔を通して前記第２ハウジングの前記固定片受容部内に受容されることにより、前記第１ハウジングの前記ハウジング固定片は、前記第２ハウジングの前記移動規制部により移動規制された状態で前記第２ハウジングに対して固定されており、
前記第２ハウジングの前記ハウジング固定片が前記第１ハウジングの前記許容孔を通して前記第１ハウジングの前記固定片受容部内に受容されることにより、前記第２ハウジングの前記ハウジング固定片は、前記第１ハウジングの前記移動規制部により移動規制された状態で前記第１ハウジングに対して固定されている
コネクタが得られる。
【００１１】
また、本発明によれば、第４のコネクタとして、第３のコネクタであって、
前記ハウジング固定片には凹部又は孔部が形成されており、
前記固定片受容部には凸部が形成されており、
前記第２ハウジングの前記固定片受容部の前記凸部が前記第１ハウジングの前記ハウジング固定片の前記凹部又は孔部に嵌められていると共に、前記第１ハウジングの前記固定片受容部の前記凸部が前記第２ハウジングの前記ハウジング固定片の前記凹部又は孔部に嵌められている
コネクタが得られる。
【００１２】
また、本発明によれば、第５のコネクタとして、第２乃至第４のいずれかのコネクタであって、
前記第１コンタクトは、第１外列コンタクトと、第１内列コンタクトとを備えており、
前記第１外列コンタクト及び前記第１内列コンタクトの夫々は、被固定部を更に備えており、
前記第１外列コンタクトと前記第１内列コンタクトは所定方向において交互に配置されており、
前記第１外列コンタクトの前記接触部と前記第１内列コンタクトの前記接触部とは前記所定方向において一列に配列されている一方、前記第１外列コンタクトの前記被固定部と前記第１内列コンタクトの前記被固定部とは前記基板上に千鳥状に配置されており、
前記第２コンタクトは、第２外列コンタクトと、第２内列コンタクトとを備えており、
前記第２外列コンタクト及び前記第２内列コンタクトの夫々は、被固定部を更に備えており、
前記第２外列コンタクトと前記第２内列コンタクトは前記所定方向において交互に配置されており、
前記第２外列コンタクトの前記接触部と前記第２内列コンタクトの前記接触部とは前記所定方向において一列に配列されている一方、前記第２外列コンタクトの前記被固定部と前記第２内列コンタクトの前記被固定部とは前記基板上に千鳥状に配置されている
コネクタが得られる。
【００１３】
また、本発明によれば、第６のコネクタとして、第２乃至第５のいずれかのコネクタであって、
前記第１コンタクトを配列保持する第１ロケータと、
前記第２コンタクトを配列保持する第２ロケータと
を更に備える
コネクタが得られる。
【００１４】
また、本発明によれば、第７のコネクタとして、第２乃至第６のいずれかのコネクタであって、
前記第１ハウジングを覆う第１シェルと、前記第２ハウジングを覆う第２シェルとを更に備えており、
前記第１シェルと前記第２シェルとは、互いに同一構造を有しており、前記基板の中心に対して点対称となるように配置されている
コネクタが得られる。
【００１５】
また、本発明によれば、第８のコネクタとして、第７のコネクタであって、
前記第１シェル及び前記第２シェルの夫々には、バネ性を有する接触片が設けられており、
前記第１シェルの前記接触片は、前記第２シェルに接触しており、前記第２シェルの前記接触片は前記第１シェルに接触している
コネクタが得られる。
【００１６】
また、本発明によれば、第９のコネクタとして、第８のコネクタであって、
前記第１ハウジング及び前記第２ハウジングの夫々は、互いに当接するフランジ部を有しており、
前記フランジ部には保持孔が設けられており、
前記第１シェルの前記接触片は、前記第１ハウジング及び前記第２ハウジングの前記保持孔に挿入され保持された状態で、前記保持孔を通じて前記第２シェルに接触しており、
前記第２シェルの前記接触片は、前記第１ハウジング及び前記第２ハウジングの前記保持孔に挿入され保持された状態で、前記保持孔を通じて前記第１シェルに接触している
コネクタが得られる。
【００１７】
また、本発明によれば、第１０のコネクタとして、第７乃至第９のいずれかのコネクタであって、
前記第１ハウジング及び前記第２ハウジングには、係止部が形成されており、
前記第１シェル及び前記第２シェルの夫々には、シェル固定片が設けられており、
前記シェル固定片が前記係止部に対して係止されることにより、前記第１シェル及び前記第２シェルは前記第１ハウジング及び前記第２ハウジングに夫々固定されている
コネクタが得られる。
【００１８】
更に、本発明によれば、第１１のコネクタとして、第７乃至第１０のいずれかのコネクタであって、
前記第１シェル及び前記第２シェルの少なくともいずれか一方には、受部と、前記受部に対して前記筺体を押し付ける押付部とが設けられており、
前記押付部が筺体を前記受部に対して押し付けることにより、当該コネクタが前記筺体に取り付けられる
コネクタが得られる。
【発明の効果】
【００１９】
第１ハウジングと第２ハウジングとにより基板を挟持することとしたため、基板が意図せずに外れてしまうことを低減することができる。
【００２０】
また、第１ハウジングのハウジング固定片及び第２ハウジングのハウジング固定片が第１ハウジングの移動規制部及び第２ハウジングの移動規制部により夫々移動規制された状態で第２ハウジング及び第１ハウジングに夫々固定されている場合には、第１ハウジングと第２ハウジングとの組み合わせが外れてしまうことが低減されている。
【００２１】
更に、第１シェルの接触片が第１ハウジング及び第２ハウジングのフランジ部に設けられた保持孔を通じて第２シェルに接触しており、第２シェルの接触片が第１ハウジング及び第２ハウジングの保持孔を通じて第１シェルに接触している場合には、接触片の接触による強固なシールドをフランジ部によってガードすることができる。
【図面の簡単な説明】
【００２２】
【図１】本発明の実施の形態によるコネクタを示す斜視図である。
【図２】図１のコネクタを示す分解斜視図である。
【図３】図１のコネクタを示す側面図である。
【図４】図１のコネクタを示す正面図である。
【図５】図１のコネクタを示す背面図である。
【図６】図１のコネクタを示す断面図である。
【図７】図１のコネクタの基板とコンタクトを示す斜視図である。
【図８】図１のコネクタのハウジングを示す斜視図である。
【図９】図８のハウジングを示す他の斜視図である。
【図１０】図１のコネクタを示す斜視図である。ここで、第１シェル及び第２シェルは省略されている。
【図１１】図１のコネクタのシェルを示す斜視図である。
【図１２】図１１のシェルを示す他の斜視図である。
【図１３】図１のコネクタと筺体とを示す斜視図である。
【図１４】図１３のコネクタを示す側面図である。
【発明を実施するための形態】
【００２３】
図１乃至図６を参照すると、本発明の実施の形態によるコネクタは、第１コネクタ部１００と第２コネクタ部２００とが基板３００の中心３００Ｃ（図６参照）に対して点対称となるように配置されてなるものである。本実施の形態による第１コネクタ部１００と第２コネクタ部２００とはほぼ同一構造を備えている。
【００２４】
図２から理解されるように、第１コネクタ部１００は、複数の導電体からなる第１コンタクト１１０と、ブロック状の絶縁体からなる第１ロケータ１４０と、鰐口状の絶縁体からなる第１ハウジング１５０と、金属からなる第１シェル１７０とを備えている。同様に、第２コネクタ部２００は、複数の導電体からなる第２コンタクト２１０と、ブロック状の絶縁体からなる第２ロケータ２４０と、鰐口状の絶縁体からなる第２ハウジング２５０と、金属からなる第２シェル２７０とを備えている。
【００２５】
図６及び図７に示されるように、第１コンタクト１１０は、第１ロケータ１４０によって整列保持された状態で、基板３００の第１主面３１０から＋Ｘ方向に延びるように基板３００に保持固定されており、第２コンタクト２１０は、第２ロケータ２４０によって整列保持された状態で、基板３００の第２主面３２０から−Ｘ方向に延びるように基板３００に保持固定されている。なお、第１ロケータ１４０及び第２ロケータ２４０は、作業性向上のために用いられているものであって、必須の構成要素ではない。例えば、第１コンタクト１１０及び第２コンタクト２１０を基板３００に直接植設することにより、第１ロケータ１４０及び第２ロケータ２４０を省略することとしてもよい。
【００２６】
本実施の形態による第１コンタクト１１０は、第１外列コンタクト１２０と第１内列コンタクト１３０の２種類のコンタクトを備えている。第１外列コンタクト１２０は、Ｘ方向に沿って第１コネクタ部１００に嵌合接続される相手方コネクタ（図示せず）のコンタクトと接触する接触部１２２と、基板３００に固定される被固定部１２４とを備えている。同様に、第１内列コンタクト１３０は、接触部１３２と被固定部１３４とを備えている。第１外列コンタクト１２０と第１内列コンタクト１３０とは、Ｙ方向（所定方向）において交互に配置されている。それにより、第１外列コンタクト１２０の接触部１２２と第１内列コンタクト１３０の接触部１３２とはＹ方向において一列に配列されている一方、第１外列コンタクト１２０の被固定部１２４と第１内列コンタクト１３０の被固定部１３４とは基板３００に千鳥状に配置されている。
【００２７】
一方、第２コンタクト２１０は、第２外列コンタクト２２０と第２内列コンタクト２３０の２種類のコンタクトを備えている。第２外列コンタクト２２０は、Ｘ方向に沿って第２コネクタ部２００に嵌合接続される相手方コネクタ（図示せず）のコンタクトと接触する接触部２２２と、基板３００に固定される被固定部２２４とを備えている。同様に、第２内列コンタクト２３０は、接触部２３２と被固定部２３４とを備えている。第２外列コンタクト２２０と第２内列コンタクト２３０とは、Ｙ方向（所定方向）において交互に配置されている。それにより、第２外列コンタクト２２０の接触部２２２と第２内列コンタクト２３０の接触部２３２とはＹ方向において一列に配列されている一方、第２外列コンタクト２２０の被固定部２２４と第２内列コンタクト２３０の被固定部２３４とは基板３００に千鳥状に配置されている。
【００２８】
上述したような第１コンタクト１１０及び第２コンタクト２１０の配置によれば、コンタクトピッチが狭い場合であっても基板３００上において接続ミス等によりショートしてしまうといった問題が生じることを低減することができる。
【００２９】
更に、本実施の形態において、第１コンタクト１１０と第２コンタクト２１０とは、基板３００の中心３００Ｃ（図６参照）を通り且つＹ方向に延びる直線に関して対称となるように配置されている。それにより、本実施の形態における第１コンタクト１１０の接触部１２２，１３２と第２コンタクト２１０の接触部２２２，２３２とは、基板３００の中心３００Ｃに対して点対称となるように配置されている。また、第１コンタクト１１０の被固定部１２４，１３４と第２コンタクト２１０の被固定部２２４，２３４とは、基板３００の中心３００Ｃを通り且つＹ方向に延びる直線に関して対称となるように配置されている。
【００３０】
図１、図２、図６及び図１０から理解されるように、本実施の形態による第１ハウジング１５０と第２ハウジング２５０は、互いに同一構造を有しており、基板３００の中心３００Ｃ（図６参照）に対して点対称となるように設けられている。特に、本実施の形態による第１ハウジング１５０と第２ハウジング２５０とは基板３００を挟持するように組み合わせられている。この組み合わせにより、第１ハウジング１５０は、その内部に第１コンタクト１１０が位置するように設けられており（図１０参照）、同様に、第２ハウジング２５０は、その内部に第２コンタクト２１０が位置するように設けられている。換言すると、図６に示されるように、第１コンタクト１１０は、基板３００の第１主面３１０から第１ハウジング１５０内に向かって延びるように基板３００に保持されており、第２コンタクト２１０は、基板３００の第２主面３２０から第２ハウジング２５０内に向かって延びるように基板３００に保持されている。
【００３１】
本実施の形態では点対称の構成にしたが、これは同一の相手側コネクタ（図示せず）を上下反転して接続できるようにするためであり、図７においてコンタクト１１０，２１０に端子番号（Ｎｏ．１〜Ｎｏ．８）を付与した場合に、手前側のコンタクト１１０，２１０における端子番号がそれぞれ同一の番号になるようにして、相手側コネクタ（図示せず）を接続した際に同一の端子番号同士が接続できるようにした。すなわち、第１コンタクト１１０と第２コンタクト２１０とを接続する際に、基板３００の配線パターン（図示せず）を直線（最短距離）で接続できるメリットがある。
【００３２】
図８及び図９に示されるように、第１ハウジング１５０には、−Ｘ方向に延びるハウジング固定片１５２と、固定片受容部１５６と、フランジ部１６０と、係止部１６８が形成されている。本実施の形態によるハウジング固定片１５２は２つあり、Ｙ方向において互いに離間されるようにして設けられている。固定片受容部１５６は、Ｚ方向における第１ハウジング１５０の中心に関してハウジング固定片１５２と対称となるように設けられている。即ち、本実施の形態による固定片受容部１５６も２つあり、Ｙ方向において互いに離間するように位置している。詳しくは、固定片受容部１５６は、フランジ部１６０に形成された許容孔１６２と連続するようにして且つ＋Ｘ方向に延びるように形成されている。ハウジング固定片１５２には、孔部１５４が形成されており、固定片受容部１５６には凸部１５８が形成されている。なお、孔部１５４に代えて凹部（即ちハウジング固定片１５２をＹ方向に貫通しない）を設けることとしてもよい。本実施の形態によるフランジ部１６０には、２つの幅広保持孔１６４と２つの幅狭保持孔１６６とが更に形成されている。幅広保持孔１６４と幅狭保持孔１６６とはフランジ部１６０のＺ方向中心を挟んで互いに対称となるような位置に形成されている。また、本実施の形態による係止部１６８は、＋Ｚ方向に凹んだ窪みであり、幅広保持孔１６４の＋Ｘ側に形成されている。
【００３３】
図１０に示されるように、第２ハウジング２５０には、第１ハウジング１５０と同様、＋Ｘ方向に延びるハウジング固定片２５２と、固定片受容部２５６と、フランジ部２６０が形成されている。ハウジング固定片２５２には孔部２５４が形成されており、固定片受容部２５６には凸部２５８が形成されている。なお、孔部２５４に代えて凹部（即ちハウジング固定片２５２をＹ方向に貫通しない）を設けることとしてもよい。図２に示されるように、フランジ部２６０には、許容孔２６２と、幅広保持孔２６４と、幅狭保持孔２６６とが形成されており、また、幅広保持孔２６４の近傍には、−Ｚ方向に凹んだ窪みからなる係止部２６８が形成されている。
【００３４】
図２、図６及び図１０から理解されるように、第１ハウジング１５０のフランジ部１６０と第２ハウジング２５０のフランジ部２６０とを互いに当接させるようにして、第１ハウジング１５０と第２ハウジング２５０とは組み合わせられている。
【００３５】
この際、第１ハウジング１５０のハウジング固定片１５２が第２ハウジング２５０の許容孔２６２を通して第２ハウジング２５０の固定片受容部２５６内に受容されると共に、第２ハウジング２５０のハウジング固定片２５２が第１ハウジング１５０の許容孔１６２を通して第１ハウジング１５０の固定片受容部１５６内に受容されている。また、第２ハウジング２５０の固定片受容部２５６の凸部２５８が第１ハウジング１５０のハウジング固定片１５２の孔部１５４に嵌められていると共に、第１ハウジング１５０の固定片受容部１５６の凸部１５８が第２ハウジング２５０のハウジング固定片２５２の孔部２５４に嵌められている。
【００３６】
特に本実施の形態においては、第１ハウジング１５０のハウジング固定片１５２は、第２ハウジング２５０のフランジ部２６０により移動規制された状態で第２ハウジング２５０に対して固定されており、第２ハウジング２５０のハウジング固定片２５２は、第１ハウジング１５０のフランジ部１６０により移動規制された状態で第１ハウジング１５０に対して固定されている。即ち、本実施の形態によるフランジ部１６０及び２６０は、夫々、ハウジング固定片２５２及び１５２を移動規制する移動規制部として機能している。このフランジ部１６０及び２６０によるハウジング固定片２５２及び１５２の移動規制により、第１ハウジング１５０と第２ハウジング２５０とは互いに外れにくくなっている。
【００３７】
図１、図４及び図６から理解されるように、第１シェル１７０は、第１ハウジング１５０の殆どの部分を覆っている。同様に、図１、図５及び図６から理解されるように、第２シェル２７０は、第２ハウジング２５０の殆どの部分を覆っている。本実施の形態による第１シェル１７０と第２シェル２７０は、互いに同一構造を有しており、基板３００の中心３００Ｃ（図６参照）に対して点対称となるように設けられている。
【００３８】
図１１及び図１２に示されるように、第１シェル１７０には、接触片１７２と、シェル固定片１７４と、受部１７６と、押付部１７８と、第１シェル接続部１８０とが形成されている。本実施の形態による接触片１７２は２つあり、夫々、バネ性を有するようにして−Ｘ方向に延びている。各接触片１７２には±Ｙ方向に突出する被保持部１７３が形成されている。シェル固定片１７４は、Ｙ方向において２つの接触片１７２間に位置するように設けられている。このシェル固定片１７４は舌片であり、＋Ｘ方向と僅かな角度をなす斜め方向（詳しくは、＋Ｘ方向と＋Ｚ方向とを合成してなる方向）に延びている。受部１７６は、Ｙ方向両側部に夫々形成された舌片であり、先端が−Ｘ方向を向くように形成されている。押付部１７８は、第１シェル１７０の−Ｘ方向端部に受部１７６と対応するように設けられたバネ状の部位である。即ち、本実施の形態による押付部１７８は２つ設けられている。ここで、押付部１７８と対応する受部１７６との間の初期状態における距離は、コネクタの取り付けられる筺体４００（図１３及び図１４参照）の厚みよりも狭くなるように設定されている。第１シェル接続部１８０は、第１コネクタ部１００に嵌合接続される相手方コネクタ（図示せず）のシェルと接続される部位である。本実施の形態による第１シェル接続部１８０は、＋Ｘ方向の端部であってＹ方向の両端から−Ｘ方向に延びている。
【００３９】
図２に示されるように、第２シェル２７０には、接触片２７２と、±Ｙ方向に突出する被保持部２７３と、シェル固定片２７４と、受部２７６と、押付部２７８とが形成されている。更に、図５に示されるように、第２シェル２７０には、第２シェル接続部２８０も形成されている。
【００４０】
図２並びに図４乃至図６から理解されるように、フランジ部１６０の幅狭保持孔１６６とフランジ部２６０の幅広保持孔２６４とで構成された保持孔に対して第２シェル２７０の接触片２７２が挿入され、フランジ部１６０の幅広保持孔１６４とフランジ部２６０の幅狭保持孔２６６とで構成された保持孔に対して第１シェル１７０の接触片１７２が挿入されることにより、第１シェル１７０及び第２シェル２７０は第１ハウジング１５０及び第２ハウジングに夫々取り付けられている。なお、被保持部１７３，２７３は、幅広保持孔１６４，２６４にそれぞれ挿入される。この取付の際、第１シェル１７０のシェル固定片１７４が第１ハウジング１５０の係止部１６８に係止し、且つ、第２シェル２７０のシェル固定片２７４が第２ハウジング２５０の係止部２６８に係止しており、それによって、第１シェル１７０及び第２シェル２７０は、第１ハウジング１５０及び第２ハウジング２５０に対して夫々固定されている。また、第１シェル１７０の接触片１７２は第２シェル２７０に接触しており、且つ、第２シェル２７０の接触片２７２は第１シェル１７０に接触している。即ち、第１シェル１７０と第２シェル２７０とは接触片１７２及び接触片２７２を通じて互いに電気的に接続されている。加えて、本実施の形態においては、接触片１７２及び接触片２７２はフランジ部１６０及びフランジ部２６０により部分的にガードされた状態で第２シェル２７０及び第１シェル１７０に夫々接続されている。
【００４１】
上述したような構成を備えるコネクタは、図１３及び図１４に示されるように、筺体４００に取り付けられる。詳しくは、図示されたコネクタは、第２コネクタ部２００を筺体４００に形成された取付孔４１０に対して挿入されている。この挿入の際、筺体４００は、受部２７６を乗り越え、押付部２７８に当接させられる。その結果、筺体４００は、押付部２７８のバネ力により受部２７６に対して押し付けられる。これにより、本実施の形態によるコネクタは筺体４００に取り付け固定されると共に筺体４００と第２シェル２７０との電気的接続も図られている。
【００４２】
以上、本発明の実施の形態について具体的に説明してきたが、本発明はこれに限定されるものではなく、様々な変形等が可能である。例えば、第１コンタクト１１０と第２コンタクト２１０とは基板３００の中心３００Ｃを通りＹ方向に延びる直線に対して対称となるように配置されていたが、基板３００の中心３００Ｃに対して点対称となるように配置されていてもよい。
【符号の説明】
【００４３】
１００        第１コネクタ部
１１０        第１コンタクト
１２０        第１外列コンタクト
１２２        接触部
１２４        被固定部
１３０        第１内列コンタクト
１３２        接触部
１３４        被固定部
１４０        第１ロケータ
１５０        第１ハウジング
１５２        ハウジング固定片
１５４        孔部
１５６        固定片受容部
１５８        凸部
１６０        フランジ部（移動規制部）
１６２        許容孔
１６４        幅広保持孔（保持孔）
１６６        幅狭保持孔（保持孔）
１６８        係止部
１７０        第１シェル
１７２        接触片
１７３        被保持部
１７４        シェル固定片
１７６        受部
１７８        押付部
１８０        第１シェル接続部
２００        第２コネクタ部
２１０        第２コンタクト
２２０        第２外列コンタクト
２２２        接触部
２２４        被固定部
２３０        第２内列コンタクト
２３２        接触部
２３４        被固定部
２４０        第２ロケータ
２５０        第２ハウジング
２５２        ハウジング固定片
２５４        孔部
２５６        固定片受容部
２５８        凸部
２６０        フランジ部（移動規制部）
２６２        許容孔
２６４        幅広保持孔（保持孔）
２６６        幅狭保持孔（保持孔）
２６８        係止部
２７０        第２シェル
２７２        接触片
２７４        シェル固定片
２７６        受部
２７８        押付部
２８０        第２シェル接続部
３００        基板
３００Ｃ      中心
３１０        第１主面
３２０        第２主面
４００        筺体
４１０        取付孔
【図１】
0005498848.tif 000002
【図２】
0005498848.tif 000003
【図３】
0005498848.tif 000004
【図４】
0005498848.tif 000005
【図５】
0005498848.tif 000006
【図６】
0005498848.tif 000007
【図７】
0005498848.tif 000008
【図８】
0005498848.tif 000009
【図９】
0005498848.tif 000010
【図１０】
0005498848.tif 000011
【図１１】
0005498848.tif 000012
【図１２】
0005498848.tif 000013
【図１３】
0005498848.tif 000014
【図１４】
0005498848.tif 000015